(57)【要約】【課題】  遊技盤と本体基部との違法な組み合わせを防止する。【解決手段】  本体基部６の開口６ａに形成されている支持枠２１に板片２２を形成する。この板片２２に、第１遊技盤１０の背面に向けて突出した突起２３〜２５を形成する。第１遊技盤１０に、本体基部６の突起２３〜２５と対応した位置に貫通孔２６〜２８を形する。第１遊技盤ユニット４を本体基部６に取り付ける場合、第１遊技盤１０の貫通孔２６〜２８のそれぞれに突起２３〜２５を挿通させながら第１遊技盤ユニット４を本体基部６に取り付ける。【選択図】        図２
2005237448.tif 000002
【特許請求の範囲】
【請求項１】
遊技媒体が流下する遊技領域が形成された複数種類の遊技盤と、これら複数種類の遊技盤が順次に取り替えられて着脱自在に取り付けられる本体基部とを備えた遊技機において、
前記複数種類の遊技盤のそれぞれに異なった数で、且つ前記遊技盤の取り替えの順番に順じて減少していくように穴部を形成し、
前記本体基部に、前記複数種類の遊技盤のうち、最も多い前記穴部の数を有する遊技盤の前記穴部の位置に対応するように、前記穴部を貫通する突起を設け、
前記本体基部に取り付けられている前記遊技盤を取り外して、前記本体基部に別の前記遊技盤を取り付ける場合、次に前記本体基部に取り付けられる前記遊技盤の前記穴部の位置及び数は、前に前記本体基部に取り付けられていた前記遊技盤の前記穴部のうちの少なくとも１つを除去することによって決定されることを特徴とする遊技機。
【請求項２】
前記穴部は、前記遊技領域内に形成されていることを特徴とする請求項１記載の遊技機。
【請求項３】
遊技媒体が流下する遊技領域が形成された複数種類の遊技盤と、これら複数種類の遊技盤が順次に取り替えられて着脱自在に取り付けられる本体基部とを備えた遊技機が複数並設されて構成され、
前記複数種類の遊技盤のそれぞれに異なった数で、且つ前記遊技盤の取り替えの順番に順じて減少していくように穴部を形成し、
前記本体基部に、前記複数種類の遊技盤のうち、最も多い前記穴部の数を有する遊技盤の前記穴部の位置に対応するように、前記穴部を貫通する突起を設け、
前記本体基部に取り付けられている前記遊技盤を取り外して、前記本体基部に別の前記遊技盤を取り付ける場合、次に前記本体基部に取り付けられる前記遊技盤の前記穴部の位置及び数は、前に前記本体基部に取り付けられていた前記遊技盤の前記穴部のうちの少なくとも１つを除去することによって決定される遊技機ユニットであって、
前記本体基部に取り付けられる前記遊技盤の前記穴部の位置又は数は、前記遊技機毎に異なるように配置されていることを特徴とする遊技機ユニット。
【請求項４】
前記穴部は、前記遊技領域内に形成されていることを特徴とする請求項３記載の遊技機ユニット。
【請求項５】
遊技媒体が流下する遊技領域が形成された複数種類の遊技盤と、これら複数種類の遊技盤が順次に取り替えられて着脱自在に取り付けられる本体基部とを備え、
前記複数種類の遊技盤のそれぞれに異なった数で、且つ前記遊技盤の取り替えの順番に順じて減少していくように穴部が形成され、
前記本体基部に、前記複数種類の遊技盤のうち、最も多い前記穴部の数を有する遊技盤の前記穴部の位置に対応するように、前記穴部を貫通する突起が設けられた遊技機における遊技盤の本体基部への取り付け方法であって、
前記本体基部に現在取り付けられている前記遊技盤を取り外し、次に用いる前記遊技盤を取り付ける際に、次に用いる前記遊技盤に形成されている前記穴部に対応する位置を除く位置に形成された前記突起を除去してから次に用いる前記遊技盤を前記本体基部に取り付けることを特徴とする遊技機における遊技盤の本体基部への取り付け方法。
【発明の詳細な説明】
【技術分野】
【０００１】
本発明は、パチンコ店等の遊技場に設置して使用されるパチンコ機等の遊技機、遊技機ユニット及び遊技機における遊技盤の本体基部への取り付け方法に関するものである。
【背景技術】
【０００２】
遊技場に設置される遊技機としてパチンコ機が挙げられる。パチンコ機を構成する基体となる本体基部には、パチンコ球（遊技媒体）が打ち出される遊技領域が形成された遊技盤が取り付けられている。さらに、遊技領域を視認させる窓部を備えた前面扉が本体基部に軸支されて、遊技盤の前方において開閉自在に設けられている。設置されているパチンコ機のデザインを一新したり、あるいは遊技性の異なるパチンコ機へ交換する場合には、本体基部が交換されるか、または、本体基部を据え置きとして遊技盤のみが交換される。
【０００３】
ところで、遊技盤と、この遊技盤が取り付けられる本体基部とは、検定を受けた正しい組み合わせになっていなければならず、本体基部１台につき遊技盤１台の組み合わせで登録されている。遊技盤の交換が行われる場合には、新たに本体基部に取り付けられる新遊技盤と、この新遊技盤が取り付けられる本体基部とが上記検定に従った正しい組み合わせになっていなければならず、本体基部から一度取り外された旧遊技盤を許可なく再び同じ本体基部に取り付けて使用することは禁止されている。また、ある本体基部に取り付けられている遊技盤を他の本体基部に付け替えるようなことも禁止されている。
【発明の開示】
【発明が解決しようとする課題】
【０００４】
しかしながら、従来のパチンコ機では、遊技盤と本体基部とが正しい組み合わせでなくても、遊技盤を本体基部に取り付けることが可能であった。そのため、遊技盤と本体基部とが違法な組み合わせのパチンコ機が存在してしまうといった問題があった。
【０００５】
また、遊技盤を新しいものに交換する場合、新しい遊技盤と本体基部とが正しい組み合わせとなるように、遊技盤と本体基部とのそれぞれに記されている番号を照合しながら遊技盤を本体基部に取り付けていたため、遊技盤の本体基部への取り付け作業が非常に面倒であった。しかも、その作業を、遊技場に設置されている複数のパチンコ機に対して行う場合には多大な時間を費やさなければならなかった。
【０００６】
本発明は上記事情を考慮してなされたもので、遊技盤と本体基部との違法な組み合わせを防止することができる遊技機、遊技機ユニット及び遊技機における遊技盤の本体基部への取り付け方法を提供することを目的とする。また、遊技盤を本体基部に正しい組み合わせで容易に取り付けることができる遊技機、遊技機ユニット及び遊技機における遊技盤の本体基部への取り付け方法を提供することも本発明の別の目的である。
【課題を解決するための手段】
【０００７】
上記目的を達成するために、本発明の遊技機は、遊技媒体が流下する遊技領域が形成された複数種類の遊技盤と、これら複数種類の遊技盤が順次に取り替えられて着脱自在に取り付けられる本体基部とを備えたものであり、前記複数種類の遊技盤のそれぞれに異なった数で、且つ前記遊技盤の取り替えの順番に順じて減少していくように穴部を形成し、前記本体基部に、前記複数種類の遊技盤のうち、最も多い前記穴部の数を有する遊技盤の前記穴部の位置に対応するように、前記穴部を貫通する突起を設け、前記本体基部に取り付けられている前記遊技盤を取り外して、前記本体基部に別の前記遊技盤を取り付ける場合、次に前記本体基部に取り付けられる前記遊技盤の前記穴部の位置及び数は、前に前記本体基部に取り付けられていた前記遊技盤の前記穴部のうちの少なくとも１つを除去することによって決定されることを特徴とする。なお、前記穴部は、前記遊技領域内に形成されていることが好ましい。
【０００８】
本発明の遊技機ユニットは、遊技媒体が流下する遊技領域が形成された複数種類の遊技盤と、これら複数種類の遊技盤が順次に取り替えられて着脱自在に取り付けられる本体基部とを備えた遊技機が複数並設されて構成され、前記複数種類の遊技盤のそれぞれに異なった数で、且つ前記遊技盤の取り替えの順番に順じて減少していくように穴部を形成し、前記本体基部に、前記複数種類の遊技盤のうち、最も多い前記穴部の数を有する遊技盤の前記穴部の位置に対応するように、前記穴部を貫通する突起を設け、前記本体基部に取り付けられている前記遊技盤を取り外して、前記本体基部に別の前記遊技盤を取り付ける場合、次に前記本体基部に取り付けられる前記遊技盤の前記穴部の位置及び数は、前に前記本体基部に取り付けられていた前記遊技盤の前記穴部のうちの少なくとも１つを除去することによって決定される遊技機ユニットであって、前記本体基部に取り付けられる前記遊技盤の前記穴部の位置又は数は、前記遊技機毎に異なるように配置されていることを特徴とする。なお、前記遊技機ユニットにおける前記穴部は、前記遊技領域内に形成されていることが好ましい。
【０００９】
本発明の遊技機における遊技盤の本体基部への取り付け方法は、遊技媒体が流下する遊技領域が形成された複数種類の遊技盤と、これら複数種類の遊技盤が順次に取り替えられて着脱自在に取り付けられる本体基部とを備え、前記複数種類の遊技盤のそれぞれに異なった数で、且つ前記遊技盤の取り替えの順番に順じて減少していくように穴部が形成され、前記本体基部に、前記複数種類の遊技盤のうち、最も多い前記穴部の数を有する遊技盤の前記穴部の位置に対応するように、前記穴部を貫通する突起が設けられた遊技機における遊技盤の本体基部への取り付け方法であって、前記本体基部に現在取り付けられている前記遊技盤を取り外し、次に用いる前記遊技盤を取り付ける際に、次に用いる前記遊技盤に形成されている前記穴部に対応する位置を除く位置に形成された前記突起を除去してから次に用いる前記遊技盤を前記本体基部に取り付けることを特徴とする。
【発明の効果】
【００１０】
本発明の遊技機、遊技機ユニット及び遊技機における遊技盤の本体基部への取り付け方法によれば、複数種類の遊技盤のそれぞれに異なった数で、且つ遊技盤の取り替えの順番に順じて減少していくように穴部を形成し、本体基部に、複数種類の遊技盤のうち、最も多い穴部の数を有する遊技盤の穴部の位置に対応するように、穴部を貫通する突起を設け、本体基部に取り付けられている遊技盤を取り外して、本体基部に別の遊技盤を取り付ける場合、次に本体基部に取り付けられる遊技盤の穴部の位置及び数を、前に本体基部に取り付けられていた遊技盤の穴部の少なくとも１つを除去することによって決定し、次に本体基部に取り付けられる遊技盤の穴部に対応する位置を除く位置に形成された突起を除去してから次に本体基部に取り付けられる遊技盤を本体基部に取り付けるようにしたので、遊技盤と本体基部との違法な組み合わせによる組み付けを防止することができる。例えば、本体基部の突起と対応するように穴部が形成されていない遊技盤は本体基部に取り付けようとしても本体基部の突起が邪魔になって取り付けることができない。また、遊技盤の交換が行われる毎に本体基部の突起の数は減っていくので、仮に一度使用された遊技盤を再び本体基部に取り付けたとしても、穴部から突起が突出するため、穴部の数と、突起の数とが一致しないことを視認することができ、遊技盤と本体基部との組み合わせが違法なものであることを容易に判別することができる。また、仮に、穴部が形成されていない遊技盤に本体基部の突起と対応するように穴部を不正に形成しようとしても、その作業には手間がかかるため、許可を得ていない遊技盤を本体基部に取り付けるといった不正行為を抑止することができる。
【００１１】
また、遊技機が複数並設されて構成された遊技機ユニットにおいて、複数の遊技機のそれぞれの本体基部に取り付けられる遊技盤の穴部の位置又は数を、遊技機毎に異なるように配置したことにより、複数の遊技機のそれぞれに対して遊技盤を本体基部に取り付ける作業を行う際、遊技盤と本体基部とのそれぞれに記されている検定番号を照合しなくても、遊技盤に形成されている穴部の位置と、本体基部に形成されている突起の位置とが一致しているか否か、あるいは遊技盤に形成されている穴部の数と、本体基部に形成されている突起の数とが一致しているか否かを確認するだけで、遊技盤と本体基部とが正しい組み合わせであるか否かを容易に判別することができるので、遊技盤の本体基部への取り付け作業の効率化を図ることが可能となる。また、本来取り付けられるべき本体基部以外の本体基部に遊技盤を誤って取り付けるということを防止することができる。さらに、遊技盤と本体基部とが正しい組み合わせで組み付けられている遊技機の遊技盤を取り外して、別の本体基部に取り付けようとしても、穴部の数や位置が合わないため、不正な取り付けを防止することができる。
【００１２】
また、遊技盤に形成される穴部を遊技領域内に配置したので、穴部を貫通する突起を障害釘などと同様の遊技盤面上の障害物として用いることができる。また、穴部を貫通する突起を風車などの構造物を取り付けるための取り付け軸として用いることもできる。
【発明を実施するための最良の形態】
【００１３】
図１及び図２に示すように、本発明の遊技機であるパチンコ機２は、本体ユニット３、第１遊技盤ユニット４、前面扉５から構成されている。本体ユニット３は、新しい機種への切り替えの際に、遊技場等の配設場所に据え置かれるユニットである。本体ユニット３は、パチンコ機２の基体となる本体基部６と、この本体基部６を遊技場の配設場所に保持する固定枠７とを有しており、本体基部６は固定枠７の前面に取り付けられている。本体基部６には、操作ハンドルＨ、払い出し口８、球受皿９の他に、特に図示しないが、パチンコ球発射装置、賞球払い出し装置、電源回路などの遊技状態に応じて作動される装置が設けられている。
【００１４】
パチンコ機２において、第１遊技盤ユニット４は、新しい機種への切り替えの際に交換される部位であり、後述する第２遊技盤ユニット３０、第３遊技盤ユニット３５の順に交換されてゆく。第１遊技盤ユニット４は第１遊技盤１０と制御回路装置１１とから構成されている。第１遊技盤１０の前面側の遊技領域１０ａには、図柄表示装置１２、始動口１３、通常入賞口１４、通過入賞口１５、アタッカ１６などの所定入賞口及びアウト口１７が設けられ、背面側には、遊技状態に応じて各種装置を作動制御する制御回路装置１１が設けられている。図示は省略してあるが、第１遊技盤１０の遊技領域１０ａには複数の障害釘や風車などが適宜箇所に設けられている。
【００１５】
制御回路装置１１は、機種に応じたゲームを実行処理させるメイン制御基盤（不図示）や図柄表示装置１２の表示制御、ランプＲの点灯制御、スピーカーＳから出力される音声制御などを行うサブ制御基盤（不図示）などから構成されている。
【００１６】
前面扉５は、ヒンジ１８を介して本体基部６に開閉自在に且つ着脱自在に取り付けられている。前面扉５には可視部であるガラス１９が交換可能に取り付けられている。ガラス１９は、ヒンジ２０を介して開口５ａに対して回動自在となるように取り付けられている。前面扉５には、ガラス１９の他、ランプＲやスピーカーＳなどが取り付けられている。
【００１７】
なお、前面扉５が閉じているロック状態であるときには、遊技者や遊技場の作業者は、前面扉５のガラス１９を通して第１遊技盤１０の遊技領域１０ａを流下していく遊技媒体であるパチンコ球を見ることはできるが、第１遊技盤１０にはもちろんのこと本体基部６の内部にも触れることができないようになっている。
【００１８】
操作ハンドルＨを操作すると、パチンコ球がパチンコ球発射装置によって一個ずつ第１第１遊技盤１０の遊技領域１０ａに打ち出され、始動口１３、通常入賞口１４、通過入賞口１５、アウト口１７のいずれかに入る。始動口１３にパチンコ球が入ったときには図柄表示装置１２が作動され、表示されている図柄の可変表示が所定時間行われて当たり判定や演出処理が行われる。そして、図柄の可変表示が停止されたときに入賞有効位置上に所定の停止図柄の組み合わせが得られると当たりとなり、遊技上の利益を獲得するうえで遊技者にとって通常よりも有利となる遊技状態へと所定期間移行される。
【００１９】
当たりが得られるときに生じる有利な遊技状態となると、例えば開閉可能な扉部材を備えたアタッカ１６を１回につき所定時間又はパチンコ球が所定個数入賞するまで閉口状態から開口状態にし、これが所定回数繰り返される。始動口１３、通常入賞口１４又はアタッカ１６にパチンコ球が入賞すると所定個数の景品球となる賞球払い出しが行われる。始動口１３、通常入賞口１４又はアタッカ１６にパチンコ球が入賞しなかった場合は、未入賞のパチンコ球としてアウト口１７に入ってハズレ球として回収される。前記景品球は、入賞された入賞口の種類に応じた個数のパチンコ球が払い出し口８から球受皿９に払い出される。
【００２０】
図２に示すように、本体基部６には、第１遊技盤ユニット４が嵌め込まれる略矩形状の開口６ａが形成されている。この開口６ａには、開口６ａに嵌め込まれる第１遊技盤ユニット４を後方から支持し、第１遊技盤ユニット４の後方への脱落を防止する支持枠２１が形成されている。支持枠２１の上部中央には下方に向けて突出した板片２２が形成されている。この板片２２には、第１遊技盤ユニット４の第１遊技盤１０の背面に向けて突出した円柱形状の３つの突起２３〜２５が形成されている。突起２３〜２５はプラスチック製であり、突出方向の長さが第１遊技盤１０の厚みよりもやや長くなるように形成されている。板片２２前面の突起２４の上方には「１」、突起２５の上方には「２」という数字が刻み込まれている。第１遊技盤ユニット４から第２遊技盤ユニット３０に交換が行われる際には、「１」の数字の下方に位置する突起２４が切断され、第２遊技盤ユニット３０から第３遊技盤ユニット３５に交換が行われる際には、「２」の数字の下方に位置する突起２５が切断される。
【００２１】
第１遊技盤ユニット４の第１遊技盤１０には、本体基部６の突起２３〜２５と対応した位置に、３つの貫通孔（穴部）２６〜２８が形成されている。貫通孔２６〜２８は、遊技領域１０ａ内に配置されており、貫通孔２６〜２８のそれぞれには、突起２３〜２５が挿入され、突起２３〜２５のそれぞれは貫通孔２６〜２８から遊技盤面１０ｂ上に突出する。
【００２２】
図３に示すように、第２遊技盤ユニット３０は、第２遊技盤３１と制御回路装置３２とから構成されている。第２遊技盤３１の前面側の遊技領域３１ａには、第１遊技盤１０と同様の入賞口などが設けられており、背面側には、制御回路装置１１と同様の構成をした制御回路装置３２が設けられている。
【００２３】
第２遊技盤ユニット３０は、本体基部６の開口６ａに嵌め込むことができるように、その大きさが第１遊技盤ユニット４と同じ大きさに形成されている。第２遊技盤ユニット３０の第２遊技盤３１には、本体基部６の突起２３、２５と対応する位置に、２つの貫通孔（穴部）３３、３４が形成されている。貫通孔３３、３４は、遊技領域３１ａ内に配置されており、貫通孔３３、３４のそれぞれには、突起２３、２５が挿入され、突起２３、２５のそれぞれは貫通孔３３、３４から遊技盤面３０ｂ上に突出する。
【００２４】
図４に示すように、第３遊技盤ユニット３５は、第３遊技盤３６と制御回路装置３７とから構成されている。第３遊技盤３６の前面側の遊技領域３６ａには、第１、２遊技盤１０、３０と同様の入賞口などが設けられており、背面側には、制御回路装置１１、３２と同様の構成をした制御回路装置３７が設けられている。
【００２５】
第３遊技盤ユニット３５は、本体基部６の開口６ａに嵌め込むことができるように、その大きさが第１、２遊技盤ユニット４、３０と同じ大きさに形成されている。第３遊技盤ユニット３５の第３遊技盤３６には、本体基部６の突起２３と対応する位置に貫通孔（穴部）３８が形成されている。貫通孔３８は、遊技領域３６ａ内に配置されており、貫通孔３８には、突起２３が挿入され、突起２３は貫通孔３８から遊技盤面３６ｂ上に突出する。
【００２６】
このように、本実施形態では、第１遊技盤ユニット４の第１遊技盤１０、第２遊技盤ユニット３０の第２遊技盤３１、及び第３遊技盤ユニット３５の第３遊技盤３６のそれぞれに形成される貫通孔のうち、第１遊技盤１０に最も多くの数の貫通孔が形成されており、第２遊技盤３１、第３遊技盤３６の順に貫通孔の数が減少していき、最も貫通孔の数が多い第１遊技盤１０の貫通孔の位置に対応するように突起２３〜２５が本体基部６に設けられている。また、本体基部６に取り付けられる遊技盤ユニットは、第１遊技盤ユニット４、第２遊技盤ユニット３０、第３遊技盤ユニット３５の順に取り替えられていくが、新たに取り替えられて本体基部６に取り付けられた遊技盤ユニットの遊技盤に形成される貫通孔の位置及び数は、前に本体基部６に取り付けられていた遊技盤ユニットの遊技盤に形成されている貫通孔のうちの１つを除去することによって決定される。
【００２７】
本体基部６には、遊技盤ユニット固定部材３９が設けられており、遊技盤ユニット固定部材３９を操作することにより第１〜３遊技盤ユニット４、３０、３５のそれぞれを本体基部６に固定したり、あるいはその固定を解除したりすることができる。なお、第１〜３遊技盤ユニット４、３０、３５のそれぞれの本体基部６への固定方法は、例えば、ねじ止め、かしめなどにより固定しても良く、第１〜３遊技盤ユニット４、３０、３５は公知の固定方法によって本体基部６に固定されていれば良い。
【００２８】
次に上記のように構成されたパチンコ機２の作用について説明する。第１遊技盤ユニット４を本体基部６に取り付ける場合、第１遊技盤ユニット４の第１遊技盤１０に形成されている貫通孔２６〜２８と、本体基部６に形成されている突起２３〜２５との位置を合わせ、貫通孔２６〜２８のそれぞれに突起２３〜２５を挿通させながら第１遊技盤ユニット４を本体基部６の開口６ａに嵌め込む。そして、遊技盤ユニット固定部材３９を操作して第１遊技盤ユニット４を本体基部６に固定する。
【００２９】
第１遊技盤ユニット４から第２遊技盤ユニット３０に交換する場合、本体基部６から第１遊技盤ユニット４を取り外し、本体基部６の板片２２の「１」の数字の下方に形成されている突起２４を切断する。そして、第２遊技盤ユニット３０の第２遊技盤３１の貫通孔３３、３４と、本体基部６の突起２３、２５との位置を合わせて、貫通孔３３、３４のそれぞれに突起２３、２５を挿通させながら第２遊技盤ユニット３０を本体基部６の開口６ａに嵌め込む。そして、遊技盤ユニット固定部材３９を操作して第２遊技盤ユニット３０を本体基部６に固定する。
【００３０】
第２遊技盤ユニット３０から第３遊技盤ユニット３５に交換する場合、本体基部６から第２遊技盤ユニット３０を取り外し、本体基部６の板片２２の「２」の数字の下方に形成されている突起２５を切断する。そして、第３遊技盤ユニット３５の第３遊技盤３６の貫通孔３８と、本体基部６の突起２３との位置を合わせて、貫通孔３８に突起２３を挿通させながら第３遊技盤ユニット３５を本体基部６の開口６ａに嵌め込む。そして、遊技盤ユニット固定部材３９を操作して第３遊技盤ユニット３５を本体基部６に固定する。
【００３１】
このように、本体基部６と遊技盤ユニットとの組み合わせが正しい場合には、本体基部６の突起と遊技盤の貫通孔との数が合っており、遊技盤に形成されている貫通孔に対応して突起が挿通されるが、遊技盤ユニットと本体基部６との組み合わせが正しくない場合、例えば、図４に示すような突起２３だけしか残されていない本体基部６に、図２に示すような３つの貫通孔２６〜２８が形成されている第１遊技盤１０を備えた第１遊技盤ユニット４を取り付けた場合、貫通孔２６には突起２３が挿通されるが、貫通孔２７、２８には突起が挿通されないため、本体基部６と第１遊技盤ユニット４との組み合わせが正しくないということを判断することができる。したがって、遊技盤ユニットの交換が１回以上行われている場合には、それ以前に使用されていた遊技盤ユニットを許可なく再使用するといった違法行為を防止することができる。
【００３２】
また、本体基部６の突起に対応した貫通孔が形成されてない遊技盤を備えた遊技盤ユニットを本体基部６に取り付けようとしても、本体基部６の突起が邪魔になり、取り付けることができない。つまり、本体基部６に取り付けることができる遊技盤ユニットの遊技盤には、本体基部６の突起と対応した位置に貫通孔が形成されているので、遊技盤ユニットと本体基部６との組み合わせが正しいか否かを容易に判別することができる。具体的には、図４に示す貫通孔３８が形成されている第３遊技盤３６を、図２に示す突起２３〜２５が設けられている本体基部６に取り付けようとしても、本体基部６の突起の数が第３遊技盤３６の貫通孔の数よりも多いため第３遊技盤３６を本体基部６に取り付けることができない。よって、遊技盤ユニットと本体基部との違法な組み合わせによる組み付けを防止することができる。
【００３３】
また、本体基部６の突起２３〜２５は、第１〜３遊技盤ユニット４、１０、３５を本体基部６に取り付ける際の位置決め部材としても機能している。さらに、第１遊技盤ユニット４を例に挙げると、第１遊技盤１０の遊技領域１０ａ内に形成された貫通孔２６〜２８から突起２３〜２５が突出するので、突起２３〜２５は障害釘と同様に遊技盤面１０ｂ上における障害物として機能する。また、突起２３〜２５の貫通孔２６〜２８から突出した部分を、遊技盤面１０ｂ上に取り付けられる風車などの構造物を取り付けるための取り付け軸として利用することも可能である。なお、第２、３遊技盤ユニット３０、３５についても同様の効果を発揮する。
【００３４】
上記実施形態では突起２４、突起２５の順で切断したが、突起２５、突起２４の順に切断しても良く、また、切断する突起は突起２４、２５に限ることなく、遊技盤ユニットの交換に伴って、突起２３〜２５のうちのいずれか２つを順次に切断すれば良い。この場合、遊技盤に形成される貫通孔の位置も突起の位置に応じて変更する。また、上記実施形態と同様に、切断される突起の順番を支持枠２１に形成されている板片２２に刻み込んでおくと好適である。これにより、遊技盤ユニットの交換を行う際に切断すべき突起を容易に見つけることができるので、作業を円滑に進めることができる。
【００３５】
上記実施形態では、第１遊技盤ユニット４が取り付けられる時に本体基部６に形成されている突起の数、すなわち、突起がまだ１つも切断されていない状態にある時の突起の数を突起２３〜２５の３つにしたが、これに限ることなく、突起は２つ以上形成されていれば良い。例えば、本体基部に突起が２つ形成されていれば、その本体基部については遊技盤ユニットを１回交換することができる。その本体基部で使用可能となる遊技盤ユニットは、本体基部の２つの突起に対応するように貫通孔が２つ形成されている遊技盤を備えた遊技盤ユニットと、本体基部の２つの突起のうちのいずれか１つに対応するように貫通孔が１つ形成されている遊技盤を備えた遊技盤ユニットということになる。このように、本体基部に形成する突起の数は、遊技盤ユニットを交換する回数に応じて設定すれば良く、適宜変更可能である。
【００３６】
上記実施形態では、第１〜３遊技盤４、３０、３５のそれぞれに貫通孔を設けたが、遊技盤の裏面に本体基部に形成された突起の先端部のみを挿入させる凹部を形成するようにしても良く、遊技盤ユニットの交換作業を行う場合、遊技盤に形成された凹部の数と突起の数とを照合すれば、遊技盤ユニットと本体基部との組み合わせが正しいか否かを容易に判断することができ、さらに、突起は遊技盤ユニットを本体基部に取り付ける際の位置決め部材としても機能するので、遊技盤ユニットの本体基部への組み付け作業を正確、且つ迅速に行うことができる。
【００３７】
上記実施形態では、パチンコ機２の本体基部６の板片２２に突起２３〜２５を形成し、これら突起２３〜２５の位置に対応するように第１遊技盤１０に貫通孔２６〜２８を形成したが、本発明の遊技機であるパチンコ機を、図５に示すように、複数台並設したパチンコ機ユニット（遊技機ユニット）４０を構成しても良い。この場合、パチンコ機ユニット４０は、パチンコ機２、４１〜４５の６台のパチンコ機が集合して構成され、正面を向くように横一列に整列した状態で設置されている。パチンコ機２、４１〜４５はパチンコ機設置棚４６に固定して設置される。パチンコ機設置棚４６は、パチンコ機２、４１〜４５のそれぞれが隙間なく組み込まれる大きさを有している。パチンコ機２、４１〜４５をパチンコ機設置棚４６に組み込むと、パチンコ機２、４１〜４５のそれぞれのほぼ前面のみが露呈される。
【００３８】
図２に示すように、パチンコ機２の本体基部６の開口６ａに設けられている支持枠２１の上部中央には板片２２が形成されており、この板片２２には３つの突起２３〜２５が形成されている。パチンコ機４１〜４５のそれぞれの本体基部（不図示）はパチンコ機２の本体基部６と同様の構成をしている。パチンコ機４１〜４５の本体基部のそれぞれの開口にはパチンコ機２と同様の支持枠（不図示）が設けられている。不図示であるが、パチンコ機４１〜４５の本体基部の支持枠のそれぞれには、パチンコ機２の本体基部に形成されている突起２３〜２５と同形状の突起が互いに異なる位置となるように支持枠に３つずつ形成されている。また、パチンコ機４１〜４５の本体基部のそれぞれに形成される突起は、パチンコ機２の本体基部６に形成されている突起２３〜２５とも異なるように配置されている。つまり、パチンコ機２、４１〜４５の本体基部のそれぞれに形成される突起は、パチンコ機２、４１〜４５毎に異なるように配置されている。また、パチンコ機２、４１〜４５のそれぞれの遊技盤には、本体基部に形成されている突起の位置に対応するように貫通孔が形成されており、パチンコ機２、４１〜４５の遊技盤のそれぞれに形成される貫通孔も、パチンコ機２、４１〜４５毎に異なるように配置されている。
【００３９】
通常、パチンコ機には遊技盤ユニットと本体基部とのそれぞれに、遊技盤ユニットと本体基部とが正しい組み合わせであるか否かを示す検定番号が記されているが、上述したように、パチンコ機２、４１〜４５のそれぞれの本体基部の突起を互いに異なる位置に形成し、本体基部の突起の位置に対応するように遊技盤に貫通孔を形成することにより、遊技場の従業員が遊技盤ユニットを本体基部に取り付ける際に、検定番号を照合しながら遊技盤ユニットを本体基部に組み付ける必要がなくなる。つまり、遊技盤ユニットを本体基部に取り付ける際に、遊技盤の貫通孔の位置が、本体基部の突起の位置と一致しているか否かを見れば、どの遊技盤ユニットを、どの本体基部に取り付けるのかを容易に判別することができ、これにより、遊技盤ユニットの取り替え作業を正確、且つ迅速に行うことが可能となる。また、本来取り付けられるべき本体基部以外の本体基部に遊技盤ユニットを誤って取り付けるということを防止することができる。さらに、遊技盤と本体基部とが正しい組み合わせで組み付けられているパチンコ機の遊技盤を取り外して、別のパチンコ機の本体基部に取り付けようとしても、穴部の数や位置が合わないため、不正な取り付けを防止することができる。
【００４０】
上記実施形態では、パチンコ機毎に、遊技盤に形成される貫通孔の位置を変えたが、これに限ることなく、パチンコ機毎に、遊技盤に形成される貫通孔の数を変えても良い。具体的には、パチンコ機２に取り付けられる遊技盤に３０個の貫通孔を形成し、この遊技盤が取り付けられる本体基部に、遊技盤に形成されている３０個の貫通孔と対応するように突起を設け、パチンコ機４１に取り付けられる遊技盤に２５個の貫通孔を形成し、この遊技盤が取り付けられる本体基部に、遊技盤に形成されている２５個の貫通孔と対応するように突起を設け、パチンコ機４２に取り付けられる遊技盤に２０個の貫通孔を形成し、この遊技盤が取り付けられる本体基部に、遊技盤に形成されている２０個の貫通孔と対応するように突起を設け、パチンコ機４３に取り付けられる遊技盤に１５個の貫通孔を形成し、この遊技盤が取り付けられる本体基部に、遊技盤に形成されている１５個の貫通孔と対応するように突起を設け、パチンコ機４４に取り付けられる遊技盤に１０個の貫通孔を形成し、この遊技盤が取り付けられる本体基部に、遊技盤に形成されている１０個の貫通孔と対応するように突起を設け、パチンコ機４５に取り付けられる遊技盤に５個の貫通孔を形成し、この遊技盤が取り付けられる本体基部に、遊技盤に形成されている５個の貫通孔と対応するように突起を設けても良い。なお、パチンコ機毎に取り付けられる各遊技盤に形成される貫通孔の数は、各遊技盤の違いを一目で識別できる数となるように各遊技盤毎に適宜に差をつけておくことが好ましい。
【図面の簡単な説明】
【００４１】
【図１】本発明を適用したパチンコ機の外観を示す斜視図である。
【図２】図１に示すパチンコ機の分解斜視図である。
【図３】１回目の遊技盤ユニットの交換を行う際、新たに本体基部に取り付けられる遊技盤ユニットと、本体ユニットとの斜視図である。
【図４】２回目の遊技盤ユニットの交換を行う際、新たに本体基部に取り付けられる遊技盤ユニットと、本体ユニットとの斜視図である。
【図５】遊技機ユニットの外観を示す斜視図である。
【符号の説明】
【００４２】
２、４１〜４５    パチンコ機（遊技機）
４    第１遊技盤ユニット
６    本体基部
１０    第１遊技盤
１０ａ、３１ａ、３６ａ    遊技領域
２３〜２５    突起
２６〜２８、３３、３４、３８    貫通孔（穴部）
３０    第２遊技盤ユニット
３１    第２遊技盤
３５    第３遊技盤ユニット
３６    第３遊技盤
４０    パチンコ機ユニット（遊技機ユニット）
【図１】
2005237448.tif 000003
【図２】
2005237448.tif 000004
【図３】
2005237448.tif 000005
【図４】
2005237448.tif 000006
【図５】
2005237448.tif 000007